(57)【要約】【課題】  携帯型情報処理装置などの表示装置部に印加される外力を分散させ、局部的に応力集中を発生させないで、表示装置の構成要素である表示素子、導光板、およびシートなどの損傷を防止する表示装置を提供することを目的とする。【解決手段】  表示装置（Ｄ）において、キャビネット（４）は画像を表示する板状の表示素子（１）の画像表示面（ＳＤ）の反対側を覆うように設けられ、フィルム状の柔らかい材料で袋状に密封して構成される緩衝材（５）が記表示素子（１）とキャビネット（４）の間に設けられる。【選択図】  図３
2006154266.tif 000002
【特許請求の範囲】
【請求項１】
表示装置であって、
板状の表示素子にて画像を表示する画像表示手段と、
前記画像表示手段の画像表示面の反対側を覆うように設けられて、当該表示素子手段を保持するキャビネットと、
前記表示素子と前記キャビネットの間に設ける緩衝材とを備え、当該緩衝材は、流体をフィルム状の柔らかい材料で袋状に密封して構成されることを特徴とする表示装置。
【請求項２】
前記キャビネットと、前記緩衝材との間に、更に透明な樹脂パネルおよび透明なフィルムを備える請求項１に記載の表示装置。
【請求項３】
前記表示装置は、前記表示面に概ね平行な軸に対して回動自在に、前記画像を表す信号を生成する装置に取り付けられることを特徴とする請求項１に記載の表示装置。
【発明の詳細な説明】
【技術分野】
【０００１】
本発明は、単独で使用、或いはパーソナルコンピュータやパーソナル情報端末等の機器に組み込まれて使用される小型ディスプレイに関し、さらに詳述すれば、持ち運びの便宜のために液晶表示パネルに代表される板状の表示素子を使用した表示装置に関する。
【背景技術】
【０００２】
近年、パーソナルコンピュータなどの携帯型情報処理装置は小型軽量化が進んでいる。小型軽量化を実現するために、装置のキャビネットを薄肉化したり、表示装置の液晶表示パネルを構成するガラスの厚みを小さくしたり、照光装置としての導光板を薄肉化したりしている（特許文献１）。一方、装置の小型化および軽量化によって、パーソナルコンピュータ等を持ち運ぶ機会が増大している。そして搬送中に、パーソナルコンピュータに外力が掛かり、ひいては表示装置が外力によって損傷することがある。これは、パーソナル情報端末等の機器についても同様である。
【０００３】
例えば、パーソナルコンピュータを鞄に収納して持ち運んでいる場合には、満員電車内で鞄が圧迫されて、パーソナルコンピュータに外力が加わる。パーソナルコンピュータのキャビネットが薄肉化されているほど、外力に対してキャビネットは大きく撓む。そして、キャビネットの撓み量が大きい程、キャビネットの内部に収容されている液晶表示パネルなどの表示素子に、より大きな力が加わる。
【０００４】
以下に、図６、図７、図８、および図９を参照して、従来の表示装置に外力が加えられた場合について説明する。図６は、携帯型情報処理装置等に用いられている従来の表示装置Ｄｃの表示面ＳＤｃを正面から見た様子を示している。図７は、図６において示した表示面のＶＩＩ−ＶＩＩ断面を示している。図８は、図７において、円Ｃｃで囲まれた部分の詳細を示している。そして、図９は、キャビネット３４の主平面に対して概ね垂直に外力Ｆが加わっている時の表示装置の状態を示している。
【０００５】
図８から、明瞭に見て取れるように、表示装置Ｄｃは、表示素子３１。樹脂パネル３２、シート３３、キャビネット３４、クッション３５、および保護プレート３６を含む。表示素子３１は、液晶表示パネルなどのガラスなどの材料で構成されている。樹脂パネル３２は、照光装置の一部分であり、透明な樹脂で成型されている。シート３３は、透明なフィルム状の素材で構成されており、樹脂パネル３２から発せられる光を拡散あるいは集光する。なお、シート３３はその表面に、プリズム状の微小な凹凸が配されている場合もある。キャビネット３４は、表示装置Ｄｃの外郭を形成している。そして、クッション３５は、発泡材料で形成されると共に、キャビネット３４と照光装置（樹脂パネル３２）との間に配置されている。透明樹脂などで構成された保護プレート３６は、教示素子３１の前面に位置して、表示素子３１を保護している。
【０００６】
図９に、図６に示した当該表示装置Ｄｃの断面（ＶＩＩ−ＶＩＩ）が端面となるように、斜めから見た状態を示す。なお、同図における表示装置Ｄｃには、その中央部付近に外力Ｆが加えられている。外力Ｆが加わることによって、キャビネット３４が変形し、クッションクッション３５が圧縮される。このとき、表示素子３１ならびに樹脂パネル３３、およびシート３４にクッション３５の反発力ｆが印加される。樹脂パネル３３またはシート３４には、光を集光または拡散するために、表面にプリズム状の小さな突起が数多く配置されている。
【特許文献１】特開２００３−５１６８１号公報
【発明の開示】
【発明が解決しようとする課題】
【０００７】
上述のように、従来の表示装置Ｄｃでは、外部から圧迫、すなわち外力Ｆが加わった場合、樹脂パネル３３、シート３４、および表示素子３２に局部的に大きな荷重が加わる。このとき、樹脂パネル３３、シート３４、および表示素子３１に働く力の大きさは、外力Ｆが加えられた近傍では、ほぼ外力Ｆと同等の大きさである。このような局部的に大きな外力Ｆが繰り返し印加された場合には、外力Ｆが印加された中心部付近で、プリズム状の突起部が圧迫変形し、画面表示が異常になる。さらに、最悪の場合には、表示素子３１の割れが引き起こされる。このような状況は、携帯型の情報処理装置を搬送中、例えば満員電車の中で圧迫される場合などに、日常的に引き起こされる。
【０００８】
本発明は、携帯型情報処理装置などの表示装置部に印加される外力を分散させ、局部的に応力集中を発生させないで、表示装置の構成要素である表示素子、導光板、およびシートなどの損傷を防止する表示装置を提供することを目的とする。
【課題を解決するための手段】
【０００９】
この課題を解決するために本発明は、表示装置であって、
板状の表示素子にて画像を表示する画像表示手段と、
前記画像表示手段の画像表示面の反対側を覆うように設けられて、当該表示素子手段を保持するキャビネットと、
前記表示素子と前記キャビネットの間に設ける緩衝材とを備え、当該緩衝材は、流体をフィルム状の柔らかい材料で袋状に密封して構成されることを特徴とする。
【発明の効果】
【００１０】
以上のように本発明に係る表示装置においては、局部的に加えられた外力を分散させることによって、表示素子や樹脂パネルなど等の表示装置を構成する要素が外力の局部的な作用により損傷することを防止できる。
【発明を実施するための最良の形態】
【００１１】
以下に、図１、図２、図３、図４、および図５を参照して、本発明の実施の形態に係る表示装置について説明する。図１は、本発明の実施の形態に係る表示装置Ｄの表示面ＳＤを正面から見た様子を示している。図２は、図１において示した表示面のＩＩ−ＩＩ断面を示している。図３は、図２において、円Ｃで囲まれた部分の詳細を示している。図４は、図１に示した表示装置Ｄの表示面ＳＤに対して概ね垂直に外力Ｆが加わっている時の状態を示している。そして、図５は、図１に示した本発明の実施の形態に係る表示装置Ｄが組み込まれたパーソナルコンピュータを示している。
【００１２】
図３から明瞭に読みとれるように、表示装置Ｄは、表示素子１、樹脂パネル２、シート３、キャビネット４、緩衝材５、および保護プレート６を含む。表示素子１は、液晶表示素子などで板状に形成されている。樹脂パネル２は、透明な素材で形成されて、液晶表示素子を照光する。なお、樹脂パネル２の端面部には照光のためのライト（図示せず）が設けられて、樹脂パネル２の全面で発光する。
【００１３】
シート３は、樹脂パネルからの光を集光、または拡散する。なお、シート３の表面には、プリズム状の微小な突起（図示せず）が配置されている。キャビネット４は、表示素子１の表示面ＳＤの反対側を覆い隠すようにして、表示装置を保護する。キャビネット４と樹脂パネル２との間には、緩衝材５が配置されている。緩衝材５は、薄いフィルム状のシート５ａが袋状に密封された構造を有しており、その内部には空気および液体等の流体５ｂが満たされている。透明樹脂などで構成された保護プレート６は、表示素子１の前面に配されて、表示素子１を保護する。
【００１４】
以下に、図４を参照して、上述の表示装置Ｄに外力Ｆが印加された場合について説明する。図４は、図１に示した表示装置Ｄの断面（ＩＩ−ＩＩ）が端面となるように、斜めから見た状態を示す。なお、同図における表示装置Ｄには、その中央部付近に外力Ｆが加えられている。外力Ｆが加わることによって、キャビネット４は外力Ｆを加えられた部位を中心にして撓みが発生する。このとき、緩衝材５も圧迫されるが、緩衝材５の内部に充填されている流体（気体あるいは液体）５によるパスカルの原理に従って、加えられた力は、気体、または液体の内部圧力となって、緩衝材５中に均一に分布する。つまり、中央部に局部的に加えられた外力Ｆが、表示素子１、樹脂パネル２、およびシート３に小さな均一の単位荷重として伝播される。その結果、表示素子１、樹脂パネル２、およびシート３などが局部的に大きな荷重を受けないことから、割れや圧迫による変形などの損傷を発生させる危険性が低減される。
【００１５】
図５に示すように、本発明の実施の形態に係る表示装置Ｄは、例えばパーソナルコンピュータＰに、前記表示面ＳＤに概ね平行な軸Ｘに対して回動自在に取り付けられて、当該パーソナルコンピュータＰによって生成される画像信号に基づく画像の表示に供される。このように構成されたパーソナルコンピュータの表示装置Ｄは、キャビネット４に加わる外力Ｆは緩衝材５によって吸収分散されて、内部に収納された各要素（特に表示素子１）が保護される。
【産業上の利用可能性】
【００１６】
本発明は、単独で使用、或いはパーソナルコンピュータやパーソナル情報端末等の機器に組み込まれて使用される可搬性の表示装置に特に効果的に利用できる。
【図面の簡単な説明】
【００１７】
【図１】本発明の実施の形態に係る表示装置の正面図
【図２】図１に示す表示装置のＩＩ−ＩＩ断面図
【図３】図２において円Ｂで囲まれた部分の拡大詳細図
【図４】図１に示す表示装置の表示面ＳＤに対して概ね垂直に外力加わっている時の状態を示す説明図
【図５】図１に示す表示装置が組み込まれたパーソナルコンピュータの斜視図
【図６】従来の表示装置の正面図
【図７】図６に示す表示面のＶＩＩ−ＶＩＩ断面
【図８】図７において円Ｄで囲まれた部分の拡大詳細図
【図９】図６に示す表示装置の表示面ＳＤに対して概ね垂直に外力加わっている時の状態を示す説明図
【符号の説明】
【００１８】
Ｄ、Ｄｃ  表示装置
Ｘ  回動軸
ＳＤ、ＳＤｃ  表示面
１  表示装置
２  樹脂パネル
３  シート
４  キャビネット
５  緩衝材
５ａ  シート
５ｂ  流体
６  保護プレート
３１  表示素子
３２  樹脂パネル
３３  シート
３４  キャビネット
３５  クッション
３６  保護プレート
【図１】
2006154266.tif 000003
【図２】
2006154266.tif 000004
【図３】
2006154266.tif 000005
【図４】
2006154266.tif 000006
【図５】
2006154266.tif 000007
【図６】
2006154266.tif 000008
【図７】
2006154266.tif 000009
【図８】
2006154266.tif 000010
【図９】
2006154266.tif 000011